(57)【特許請求の範囲】
【請求項１】
薬液タンクから薬液を吸い出すための吸液パイプが挿入されるパイプ挿入穴を備え、
該パイプ挿入穴に挿入された前記吸液パイプの外周壁と、該パイプ挿入穴の内壁とにネジ山が食い込むように、該吸液パイプの長さ方向へ向けて該外周壁と該内壁との隙間に螺入されるネジにより該吸液パイプ先端に固定されることを特徴とする薬液用吸液管ストレーナ。
【請求項２】
ストレーナ本体の薬液吸込口に別体の網が前記ネジで固定されるように構成された請求項１記載の薬液用吸液管ストレーナ。
【請求項３】
合成樹脂製のストレーナ本体の薬液吸込口に網が溶着されてなる請求項１記載の薬液用吸液管ストレーナ。
【請求項４】
前記パイプ挿入穴は、複数の前記吸液パイプが挿入可能に形成され、
前記ネジは、該複数の吸液パイプの外周壁と該パイプ挿入穴の内壁とにネジ山が食い込むように該外周壁と該内壁との隙間に螺入される請求項１〜３のいずれか一項に記載の薬液用吸液管ストレーナ。
【発明の詳細な説明】
【０００１】
【発明の属する技術分野】
本発明は、薬液タンクから薬液を吸い出すための吸液パイプの先端に取り付けられる吸液管ストレーナに関するものである。
【０００２】
【従来の技術】
薬液には、雑菌や光が入ったりすると分解され易く、蓋が開けられた後の効果の持続性がないものが多い。このため、一般に、薬液タンクは小型に形成されるとともに、その開口部の内径も小さく（一般に内径２４ｍｍ程度）形成されている。そして、安全面等の観点より、薬液タンクは金属製の缶からなり、缶内の薬液は別のタンク等に移しかえられることなく、直接吸い出されて使用される。この薬液タンクからポンプで効率良く薬液を吸い出すためには、できるだけ穴の断面積が大きい吸液パイプ及びストレーナを使用する必要がある。特にストレーナの網は、ゴミによる目詰まり等があるので、吸液パイプの穴の断面積よりも広い面積であることが好ましい。
【０００３】
吸液パイプ用ストレーナの従来例としては、次の態様が挙げられる。
（１）図６（ａ）に示すようにポリプロピレン等の合成樹脂製の吸液パイプ５０の先端にストレーナとしての網５１を溶着した態様。
（２）図６（ｂ）に示すように吸液パイプ５０の先端部に別体のストレーナ５５を被嵌した態様。このストレーナ５５は、吸液パイプ５０に被嵌可能に形成された合成樹脂製の筒体５６と、該筒体５６の先端に溶着された網５１とからなっている。筒体５６の反網側の内周には、穴の中心に向けて突出する凸条５６ａが形成されており、該凸条５６ａを吸液パイプ５０先端側の外周壁に形成された凹溝５０ａに係合させることにより、吸液パイプ５０先端に固定するようになっている。
【０００４】
【発明が解決しようとする課題】
ところが、前記（１）の態様のように、吸液パイプ５０の先端に網５１を直接溶着すると、吸液パイプ５０の溶けた材料が該吸液パイプ５０開口の内側に溶け出して（５２）、その開口面積が狭まり、薬液の流れの抵抗になるという問題がある。また、網５１が吸液パイプ５０の先端に溶着されているので、網５１が目詰まりしたとき等のメンテナンスがし難いという問題もある。
【０００５】
また、前記（２）の態様の場合、網５１を筒体５６に溶着して該筒体５６の開口が多少狭まっても（５７）、筒体５６の内径が吸液パイプ５０の内径よりも大きいので、前記（１）のように薬液の流れの抵抗になるという問題は生じ難い。しかし、別体のストレーナ５６は、一旦吸液パイプ５０先端に被着されると、その凸条５６ａと吸液パイプ５０の凹溝５０ａとの嵌合により取り外しが非常に困難な状態になるので、前記（１）と同様に網５１が目詰まりしたとき等のメンテナンスがし難いという問題がある。
【０００６】
また、複数本の吸液パイプ５０を薬液タンク６０に挿入する場合、図７（ａ）に示すように該吸液パイプ５０の先端側を束ねていないと、薬液タンク６０内における該先端側の位置がバラバラになって、その位置によってはまだ薬液６１が残っているのに吸い出すことができなくなることがある。このため、複数の吸液パイプ５０を薬液タンク６０に挿入するときはそれらの先端側を束ねることが好ましい。従来は、例えば同図（ｂ）に示すように複数本の吸液パイプ５０に抱持部材６２を装着することにより束ねているが、その装着に手間が掛かるという問題がある。
【０００７】
さらに、前記（２）の態様の場合、薬液６１を効率よく吸い出せるようにできるだけ太い外径の吸液パイプ５０を採用すると、ストレーナ５５の外径が吸液パイプ５０の外径よりも大きいので、薬液タンク６０の開口部６０ａに複数のストレーナ５５を同時に通過させることができず、１つずつ通過させなければならない。例えば、２本の吸液パイプ５０を薬液タンク６０に挿入する場合、まず、図８（ａ）のように開口部６０ａに一方のストレーナ５５を通過させ、その後同図（ｂ）のように開口部６０ａにもう一方のストレーナ５５を通過させなければならない。このように複数の吸液パイプ５０を薬液タンク６０に挿入する場合に、手間が掛かるという問題がある。
【０００８】
本発明の目的は、上記課題を解決し、大径の吸液パイプと大面積の網を採用することができるとともに、メンテナンスを簡単に行うことができる薬液用吸液管ストレーナを提供することにある。
【０００９】
また、本発明の目的は、上記課題を解決し、複数の吸液パイプを薬液タンクに挿入する場合の取り扱いが簡単な薬液用吸液管ストレーナを提供することにある。
【００１０】
【課題を解決するための手段】
上記目的を達成するために、本発明の薬液用吸液管ストレーナは、薬液タンクから薬液を吸い出すための吸液パイプが挿入されるパイプ挿入穴を備え、該パイプ挿入穴に挿入された前記吸液パイプの外周壁と、該パイプ挿入穴の内壁とにネジ山が食い込むように、該吸液パイプの長さ方向へ向けて該外周壁と該内壁との隙間に螺入されるネジにより該吸液パイプ先端に固定されることを特徴としている。
【００１１】
前記ネジとしては、ネジ自体でネジ立てができるタッピングネジを採用することが好ましいが、これに限定されず、タッピングネジ以外のネジを採用することもできる。
【００１２】
前記薬液用吸液管ストレーナとしては、特に限定されないが、次の態様を例示する。
（１）ストレーナ本体の薬液吸込口に別体の網が前記ネジで固定されるように構成された態様。
（２）合成樹脂製のストレーナ本体の薬液吸込口に網が溶着されてなる態様。
【００１３】
このように前記吸液パイプの長さ方向へ向けて螺入される前記ネジにより該吸液パイプ先端に固定するように構成しているので、前記ネジの軸長さ方向の両端側が前記吸液パイプの太さ方向へ突出することがない。このため、大径の前記吸液パイプと大面積の前記網を採用することができ、薬液を効率的に吸い出せるようにすることができるので、土壌の消毒等の作業時間を短縮させることができる。また、前記ネジで固定するようにしているので、前記網が目詰まりしたとき等に前記吸液パイプから簡単に取り外すことができる。
【００１４】
前記パイプ挿入穴は、複数の前記吸液パイプが挿入可能に形成され、前記ネジは、該複数の吸液パイプの外周壁と該パイプ挿入穴の内壁とにネジ山が食い込むように該外周壁と該内壁との隙間に螺入される態様を例示する。
【００１５】
これにより、前記吸液パイプごとに前記吸液管ストレーナを取り付ける必要がなく、また、前記複数の吸液パイプを別途束ねる必要がないので、該複数の吸液パイプの取り扱いが簡単になる。
【００１６】
【発明の実施の形態】
図１〜図４は本発明を具体化した一実施形態の薬液用吸液管ストレーナを示している。図１は、本発明の吸液管ストレーナ１を備えた土壌消毒機３０を示しており、該土壌消毒機３０は、薬液タンク３１の薬液３２をポンプ３３により吸い出して薬液吐出部３４から地面に吐出するようになっている。吸液管ストレーナ１は、薬液タンク３１から薬液３２を吸い出すための２本の吸液パイプ２の先端に取り付けられている。
【００１７】
薬液タンク３１は、前記［従来の技術］で説明したものと同様に、金属製の缶からなり、缶内の薬液３２は別のタンク等に移しかえられることなく、直接吸い出されて使用される。薬液タンク３１の開口部の内径は、本例では約２４ｍｍになっている。
【００１８】
吸液パイプ２は、本例では合成樹脂としてのポリプロピレン製のものであり、外径が約１０ｍｍのものが採用されている。
【００１９】
吸液管ストレーナ１は、一端側に２本の吸液パイプ２が挿入されるパイプ挿入穴１１が形成されるとともに、他端側に薬液３２を吸い込むための吸込穴１２が形成されたストレーナ本体１０と、該ストレーナ本体１０の吸込穴１２に取り付けられる網１５と、２本の吸液パイプ２、ストレーナ本体１０、及び網１５を一体化するための２つのタッピングネジ１６とを備えている。
【００２０】
ストレーナ本体１０は、薬液３２を効率的に吸い込めるように、薬液タンク３１の開口部３１ａに挿入可能な範囲で吸込穴１２側が最大の大きさに形成されており、これによって吸込穴１２の開口面積をできるだけ大きく確保している。吸込穴１２の開口の内縁部には、矩形凹部１２ａが形成されており、該矩形凹部１２ａに別体の網１５が嵌め込まれ、位置決めされるようになっている。また、吸込穴１２とパイプ挿入穴１１との間は支持壁１７によって仕切られている。この支持壁１７には、パイプ挿入穴１１に挿入された各吸液パイプ２の開口と吸込穴１２とを連通するための２つの貫通穴１７ａと、２つのタッピングネジ１６をそれぞれ螺入するための２つのネジ穴１７ｂとが形成されている。貫通穴１７ａの内径は、吸液パイプ２が挿通不可能となるように吸液パイプ２の外径よりも小さく、かつ、吸液パイプ２へ流れ込む薬液３２の流れの抵抗とならないように該吸液パイプ２の内径よりも大きくなるように設定されている。また、ネジ穴１７ｂの周縁部には、支持壁１７から間隔をおいて網１５を支持するための環状の網支持部１７ｃが形成されている。
【００２１】
ストレーナ本体１０のパイプ挿入穴１１は、外周面が互いに略接するように揃えられた状態の２本の吸液パイプ２が嵌入可能な形状に形成されている。そして、ネジ穴１７ｂは、吸液パイプ２の長さ方向を見て、両吸液パイプ２の接合位置の両側における、該両吸液パイプ２の外周壁同士の隙間にタッピングネジ１６が螺入されるように配設されている。なお、このネジ穴１７ｂの位置に合わせて、網１５にもネジ穴１５ａが形成されている。
【００２２】
次に、吸液管ストレーナ１を吸液パイプ２の先端に装着する方法について説明する。まず、ストレーナ本体１０のパイプ挿入穴１１に２本の吸液パイプ２を挿入する。このとき、両吸液パイプ２は、外周面が互いに略接合するように揃えられた状態となる。次いで、ストレーナ本体１０及び網１５のネジ穴１７ｂ，１５ａの位置を互いに合わせて、ストレーナ本体１０の吸込口に網１５を装着する。次いで、ストレーナ本体１０の吸込口側から各ネジ穴１７ｂにタッピングネジ１６をそれぞれ螺入すると、両タッピングネジ１６は、吸液パイプ２の長さ方向へ向けて２本の吸液パイプ２の外周壁とパイプ挿入穴１１の内壁との隙間に螺入される。このとき、パイプ挿入穴１１に挿入された２本の吸液パイプ２の外周壁と、該パイプ挿入穴１１の内壁とにタッピングネジ１６のネジ山１６ａが食い込む。そして、タッピングネジ１６を締めるにつれて、このネジ山１６ａによって吸液パイプ２がストレーナ本体１０に引き寄せられ、タッピングネジ１６を締め終わると吸液パイプ２とストレーナ本体１０とが強固に一体化される。これと同時に、両タッピングネジ１６によりストレーナ本体１０の吸込口に網１５が固定される。
【００２３】
以上のように構成された本発明の薬液用吸液管ストレーナ１によれば、吸液パイプ２の長さ方向へ向けて螺入されるタッピングネジ１６により吸液パイプ２先端に固定するように構成しているので、タッピングネジ１６の軸長さ方向の両端側が吸液パイプ２の太さ方向へ突出することがない。このため、大径の吸液パイプ２と大面積の網１５を採用することができ、薬液３２を効率的に吸い出せるようにすることができ、土壌の消毒等の作業時間を短縮させることができる。また、タッピングネジ１６で固定するようにしているので、網１５が目詰まりしたとき等に吸液パイプ２から簡単に取り外すことができ、メンテナンスを簡単に行うことができる。
【００２４】
また、パイプ挿入穴１１は、２本の吸液パイプ２が挿入可能に形成され、タッピングネジ１６は、２本の吸液パイプ２の外周壁と該パイプ挿入穴１１の内壁とにネジ山１６ａが食い込むように該外周壁と該内壁との隙間に螺入されるように構成されているので、各吸液パイプ２ごとに吸液管ストレーナ１を取り付ける必要がなく、また、複数の吸液パイプ２を別途束ねる必要がないので、複数の吸液パイプ２の取り扱いが簡単になる。
【００２５】
なお、本発明は前記実施形態に限定されるものではなく、例えば以下のように、発明の趣旨から逸脱しない範囲で適宜変更して具体化することもできる。
（１）合成樹脂製のストレーナ本体１０の吸込口に網１５が溶着されてなるように構成すること。
（２）装着可能な吸液パイプ２の本数を増減すること。例えば、図５（ａ）に示す吸液管ストレーナ４１のように１本の吸液パイプ２に装着するように構成したり、同図（ｂ）に示す吸液管ストレーナ４３のように、３本の吸液パイプ２に装着するように構成することが挙げられる。
（３）タッピングネジ１６の数を適宜増減すること。例えば、タッピングネジ１６を１本にしたり（図５（ａ），（ｂ）参照）、３本以上にすることが挙げられる。
【００２６】
【発明の効果】
本発明の請求項１〜３に係る薬液用吸液管ストレーナによれば、大径の吸液パイプと大面積の網を採用することができるとともに、メンテナンスを簡単に行うことができるという優れた効果を奏する。
【００２７】
上記効果に加え、請求項４に係る薬液用吸液管ストレーナによれば、複数の吸液パイプを薬液タンクに挿入する場合の取り扱いを簡単化することができる。
【図面の簡単な説明】
【図１】  本発明の一実施形態に係る薬液用吸液管ストレーナを備えた土壌消毒機を示す側面図である。
【図２】  同吸液管ストレーナの分解斜視図である。
【図３】  同吸液管ストレーナのストレーナ本体を示し、（ａ）は薬液吸込口側から見たときの図、（ｂ）は側面図、（ｃ）は反薬液吸込側から見たときの図である。
【図４】  図３のＩＶ−ＩＶ線断面図である。
【図５】  同吸液管ストレーナの変更例を示す図である。
【図６】  従来の吸液管ストレーナを示す図である。
【図７】  従来の複数の吸液パイプを薬液タンクに挿入した状態を示す図である。
【図８】  従来の複数の吸液パイプを薬液タンクの開口に挿入する方法を示す図である。
【符号の説明】
１    薬液用吸液管ストレーナ
２    吸液パイプ
１０    ストレーナ本体
１１    パイプ挿入穴
１２    吸込穴
１５    網
１６    タッピングネジ
１６ａ  ネジ山
３１    薬液タンク
３２    薬液
４１    吸液管ストレーナ
４３    吸液管ストレーナ
【図１】
0003858103.tif 000002
【図２】
0003858103.tif 000003
【図３】
0003858103.tif 000004
【図４】
0003858103.tif 000005
【図５】
0003858103.tif 000006
【図６】
0003858103.tif 000007
【図７】
0003858103.tif 000008
【図８】
0003858103.tif 000009